(57)【要約】【課題】消費者の都合に合わせて自由に荷物の受取および発送を行うことができ、営業所の設置コストと人的コストを低減することができる宅配ステーションを利用した宅配システムを提供すること。【解決手段】宅配ステーション１は、認証情報の入力を受け付ける認証情報受付部３１と、保管部２３に荷物を保管する際に、保管する荷物の荷物情報を受け付ける荷物情報受付部３２と、宅配ボックス２２に当該荷物を保管した場合、当該荷物の保管情報を受け付ける保管情報受付部３４とを備える。サーバ装置２は、宅配業者の情報に、荷物情報と保管情報を関連付けて登録する情報登録部４２とを備える。【選択図】図６
2018190210.tif 000002
【特許請求の範囲】
【請求項１】
宅配ボックスおよび配達予定の荷物を保管する保管部を備える宅配ステーションと、
前記宅配ステーションと通信を行うサーバ装置と、により構成される宅配システムであって、
前記宅配ステーションは、
利用者を認証するための認証情報の入力を受け付ける認証情報受付部と、
前記保管部に荷物を保管する際に、保管する荷物の荷物情報を受け付ける荷物情報受付部と、
前記宅配ボックスに当該荷物を保管した場合、当該荷物の保管情報を受け付ける保管情報受付部と、を備え、
前記サーバ装置は、
認証処理を行った利用者の情報に、前記荷物情報受付部で受け付けた荷物情報と、前記保管情報受付部で受け付けた保管情報を関連付けて登録する情報登録部と、
を備える宅配システム。
【請求項２】
前記利用者とは、荷物を宅配ステーションまで運搬する一または複数の宅配業者と、前記保管部に保管されている荷物を荷受人に配達する配達員が該当し、
前記認証情報受付部は、前記宅配業者および前記配達員を認証するための認証情報の入力を受け付ける請求項１記載の宅配システム。
【請求項３】
前記サーバ装置は、宅配ステーションの保管部に保管されている荷物を荷受人に配達する配達員を管理する配達員テーブルを記憶する配達員テーブル記憶部と、
前記保管部に荷物が保管された場合、前記配達員テーブル記憶部に記憶されている配達員テーブルを参照し、配達員に配達依頼情報を通知する通知部を備える請求項１または２記載の宅配システム。
【請求項４】
前記通知部は、前記保管部に保管されている荷物について、荷受人に配達するのか、前記保管部と同一の宅配ステーションの宅配ボックスに保管するのか、他の宅配ステーションの宅配ボックスに保管するのかを示す情報を含んだ配達依頼情報を通知する請求項３記載の宅配システム。
【請求項５】
前記通知部は、報酬額を含んだ配達依頼情報を通知する請求項３または４記載の宅配システム。
【請求項６】
荷物を配達する配達員を所定の条件に基づいて決定する配達員決定部を備える請求項１から５のいずれか一項に記載の宅配システム。
【請求項７】
前記配達員決定部は、前記通知部による通知に対して、最も安価な配達料を入札してきたものを配達員に決定する請求項６記載の宅配システム。
【請求項８】
前記配達員決定部は、前記通知部による通知に対して、一番早く応答してきた者を配達員に決定する請求項６記載の宅配システム。
【請求項９】
前記配達員テーブルには、配達員による配達の実績が関連付けられており、
前記配達員決定部は、前記通知部による通知に対して複数の者が応答してきた場合、前記配達員テーブル記憶部に記憶されている配達員テーブルを参照し、高い実績を有している者を配達員に決定する請求項６記載の宅配システム。
【請求項１０】
前記通知部は、前記保管情報受付部により保管情報を受け付けた場合、荷物の荷受人の端末装置に前記宅配ボックスに荷物を保管した旨を通知する請求項３記載の宅配システム。
【請求項１１】
前記通知部は、荷物の荷受人の端末装置に前記宅配ボックスに荷物を保管した旨と、宅配ステーションが設置されている場所の情報を通知する請求項３から１０のいずれか一項に記載の宅配システム。
【請求項１２】
前記通知部は、荷物が保管されていた宅配ステーションとは異なる宅配ステーションの宅配ボックスに荷物を保管した旨を荷受人の端末装置に通知する請求項３から１１のいずれか一項に記載の宅配システム。
【請求項１３】
前記宅配ボックスは、複数のユニットから構成されており、
前記保管部は、複数の区画により構成されており、
前記サーバ装置は、
宅配ステーションの宅配ボックスと保管部の利用状況を示す利用状況情報を収集する収集部と、
前記収集部により収集された利用状況情報に基づいて、前記宅配ボックスと前記保管部との比率を決定する比率決定部とを備える請求項１から１２のいずれか一項に記載の宅配システム。
【請求項１４】
宅配ボックスおよび配達予定の荷物を保管する保管部を備える宅配ステーションと、前記宅配ステーションと通信を行うサーバ装置と、により構成される宅配システムを利用する宅配方法であって、
前記宅配ステーションは、
認証情報受付部により、利用者を認証するための認証情報の入力を受け付ける認証情報受付工程と、
荷物情報受付部により、前記保管部に荷物を保管する際に、保管する荷物の荷物情報を受け付ける荷物情報受付工程と、
保管情報受付部により、前記宅配ボックスに当該荷物を保管した場合、当該荷物の保管情報を受け付ける保管情報受付工程と、を備え、
前記サーバ装置は、
情報登録部により、認証処理を行った利用者の情報に、前記荷物情報受付部で受け付けた荷物情報と、前記保管情報受付部で受け付けた保管情報を関連付けて登録する情報登録工程と、
を備える宅配方法。
【発明の詳細な説明】
【技術分野】
【０００１】
本発明は、荷物の宅配に利用する宅配ステーションを利用した宅配システムおよび方法に関する。
【背景技術】
【０００２】
宅配業において、消費者から受け取った荷物を宅配トラックを利用して配達する形態がある。しかし、配達先まで荷物を宅配トラックで運ぶ際には、配達先に駐車スペースがない場合や、駐車禁止の場合には、宅配トラックを利用した配達に支障を来す場合があり、地域に営業所を配置する形態がある。
【０００３】
当該形態においては、営業所まで宅配トラックで荷物を運び、営業所から自転車などを利用して、配達先まで荷物を運んでいる。
【０００４】
例えば、特許文献１では、集荷センタに到着する前に集配車両によって荷物に関する情報を集荷センタへ通知し、荷物の配送方面、配送量に関する事前に取得し、振り分け作業、及び方面別集配車両の割り当てを決定するシステムが開示されている。
【０００５】
ところで、営業所は、各宅配業者が自前で運営および管理を行っており、運営および管理のコストがかかる問題がある。そこで、各宅配業者が共同で利用できる営業所の設置が考えられる。
【先行技術文献】
【特許文献】
【０００６】
【特許文献１】特開２００１−３４８７７号公報
【発明の概要】
【発明が解決しようとする課題】
【０００７】
しかし、各宅配業者は、独自に集荷・配送の管理を行っているため、単に営業所を共同にするだけでは、効率が上がらない。さらに、営業所の宅配スタッフが荷物を配達しても不在の場合、再配達を行わねばならず、宅配業者側の負担が大きい問題もある。
【０００８】
そこで、本開示では、消費者の都合に合わせて自由に荷物の受取および発送を行うことができ、宅配業者側の営業所の設置コストと人的コストを低減することができる宅配ステーションを利用した宅配システムおよび方法を提供することを目的とする。
【課題を解決するための手段】
【０００９】
上記目的を達成するために、本開示の一態様における宅配システムは、宅配ボックスおよび配達予定の荷物を保管する保管部を備える宅配ステーションと、前記宅配ステーションと通信を行うサーバ装置と、により構成される宅配システムであって、前記宅配ステーションは、利用者を認証するための認証情報の入力を受け付ける認証情報受付部と、前記保管部に荷物を保管する際に、保管する荷物の荷物情報を受け付ける荷物情報受付部と、前記宅配ボックスに当該荷物を保管した場合、当該荷物の保管情報を受け付ける保管情報受付部と、を備え、前記サーバ装置は、認証処理を行った利用者の情報に、前記荷物情報受付部で受け付けた荷物情報と、前記保管情報受付部で受け付けた保管情報を関連付けて登録する情報登録部と、を備える。
【００１０】
上記目的を達成するために、本開示の一態様における宅配方法は、宅配ボックスおよび配達予定の荷物を保管する保管部を備える宅配ステーションと、前記宅配ステーションと通信を行うサーバ装置と、により構成される宅配システムを利用する宅配方法であって、前記宅配ステーションは、認証情報受付部により、利用者を認証するための認証情報の入力を受け付ける認証情報受付工程と、荷物情報受付部により、前記保管部に荷物を保管する際に、保管する荷物の荷物情報を受け付ける荷物情報受付工程と、保管情報受付部により、前記宅配ボックスに当該荷物を保管した場合、当該荷物の保管情報を受け付ける保管情報受付工程と、を備え、前記サーバ装置は、情報登録部により、認証処理を行った利用者の情報に、前記荷物情報受付部で受け付けた荷物情報と、前記保管情報受付部で受け付けた保管情報を関連付けて登録する情報登録工程と、を備える。
【発明の効果】
【００１１】
本開示によれば、消費者の都合に合わせて自由に荷物の受取および発送を行うことができ、宅配業者側の営業所の設置コストと人的コストを低減することができる。
【図面の簡単な説明】
【００１２】
【図１】宅配システムの構成を示す図である。
【図２】宅配ステーションの外観構成を示す図である。
【図３】宅配ステーションの内部構成を示す図である。
【図４】前送ボックスの構成を示す図である。
【図５】保管部が配される側面の構成を示す図である。
【図６】宅配システムに備えられる宅配ステーションとサーバ装置の構成を示す図である。
【図７】宅配ステーションの前面の構成を示す図である。
【図８】情報登録部により登録される情報を模式的に示す図である。
【図９】配達員テーブルの構成を模式的に示す図である。
【図１０】収集部により収集される利用状況情報を模式的に示す図である。
【図１１】宅配ボックスと保管部の比率についての説明に供する図である。
【図１２】宅配システムにより荷物を宅配する方法についての説明に供するフローチャートである。
【発明を実施するための形態】
【００１３】
以下、本開示の実施形態に係る宅配システムおよび方法について図面を参照しながら説明する。なお、実施形態を説明する全図において、共通の構成要素には同一の符号を付し、繰り返しの説明を省略する。
【００１４】
宅配システム１００は、図１に示すように、宅配ボックスと、配達予定の荷物を保管する保管部を備える複数の宅配ステーション１と、宅配ステーション１と通信を行うサーバ装置２とがネットワークＮを介して接続されている。なお、本開示では、宅配ステーション１とは、一台の宅配ステーションを意味することもあれば、複数台の宅配ステーションを包括的に意味することもある。
【００１５】
＜宅配ステーションの構成について＞
ここで、宅配ステーション１の構成について説明する。宅配ステーション１は、荷物が保管される宅配ボックス（宅配ロッカー）と、トラックで運ばれてきた荷物が積みおろされて保管される営業所（前送ステーション）を備えており、荷物の受け取りおよび発送を行うことができ、かつ、宅配業者による営業所の設置コストと人的コストを低減することができる。
【００１６】
宅配ステーション１は、例えば、幅が約１．５〜２．５ｍ程度であり、長さが約２．５〜５ｍ程度であり、コインパーキングにおける自動車一台分の大きさである。また、宅配ステーション１は、工場で組み立てた後、移動し、コインパーキングの駐車スペースに配置するような利用形態が考えられる。
【００１７】
コインパーキングは、一般的に、住宅街などに設置されており、一定数の宅配ステーションの利用者（宅配業者や消費者など）を見込むことができ、さらに、宅配ステーションに必要となる電源の確保も容易などのメリットがある。さらに、コインパーキングの運営者にとってみれば、駐車スペースを宅配ステーション１に貸し出すことができ、一定の利益を確保できるメリットがある。なお、宅配ステーションは、様々な場所に配置することができ、コインパーキングに限らない。
【００１８】
また、宅配ステーション１は、図２に示すように、天面１１、底面１２、一対の側面１３，１４、前面１５および後面１６から構成される移動可能な宅配ステーションである。
【００１９】
前面１５には、外部から内部へ、および内部から外部への通行が可能な扉２１が配される。例えば、扉２１は、電子錠により管理されており、利用者（例えば、宅配業者や配達員など）のみが解錠して宅配ステーション１内に立ち入ることができる。
【００２０】
また、一方側面１３には、荷物を収納するための複数の宅配ボックス２２が配される。
【００２１】
図２（ａ）は、宅配ステーション１の斜視図である。図２（ｂ）は、宅配ステーション１の前面１５を示す図である。図２（ｃ）は、宅配ステーション１の後面１６を示す図である。図２（ｄ）は、宅配ステーションの一方側面１３を示す図である。図２（ｅ）は、宅配ステーションの他方側面１４を示す図である。図２（ｆ）は、宅配ステーションの天面１１を示す図である。図２（ｇ）は、宅配ステーションの底面１２を示す図である。
【００２２】
また、他方側面１４の内側には、図３に示すように、荷物を保管するための保管部２３が配される。
【００２３】
図３は、宅配ステーション１の内部を天面１１側から見た時の図である。図３では、扉２１から入って、右側に宅配ボックス２２が配され、左側に保管部２３が配されているが、左側に宅配ボックス２２が配され、右側に保管部２３が配されていてもよい。
【００２４】
また、宅配ボックス２２は、複数のユニットから構成されている。また、ユニットには、様々なサイズがある。宅配ボックス２２は、複数のユニットを組み合わせて構成される。図２（ｄ）では、宅配ボックス２２が、第１サイズのユニット１５個と、第２サイズのユニット６個で構成されている例を示している。
【００２５】
つまり、複数のユニットがモジュール化されており、ユニットを自由に組み合わせて宅配ボックス２２を構成することができる。
【００２６】
また、保管部２３は、複数の区画により構成されている。具体的には、保管部２３は、契約を結んでいる宅配業者の数に基づいて、複数の区画により構成されている。また、各区画の大きさは、均等でもよいし、異なっていてもよい。また、各区画には、セキュリティのために、施錠可能な扉が取り付けられていてもよい。なお、保管部２３は、区画に分けずに、複数の宅配業者が共同で使用してもよい。
【００２７】
また、宅配業者は、トラックから荷物をおろすときに、前送ボックス２５を利用することがある。前送ボックス２５は、図４に示すように、荷物が収納される収納庫２６と、ハンドル２７と、タイヤ２８とから構成されている。保管部２３は、荷物を載せた前送ボックス２５ごと保管できるように、構成されている。このような構成によれば、前送ボックス２５から荷物をおろして、各区画に保管する手間を省くことができる。
【００２８】
また、前送ボックス２５は、保管部２３に常設される構成でもよい。当該構成の場合には、トラックから出した荷物を前送ボックス２５に積み込み、その後、前送ボックス２５を保管部２３に保管することができる。
【００２９】
また、トラックに載せられている前送ボックス２５をそのまま保管部２３に保管する構成でもよい。当該構成の場合には、荷物が入っている前送ボックス２５をトラックからおろし、前送ボックス２５をそのまま保管部２３に保管することができる。なお、このときに、保管部２３に保管されていた空の前送ボックス２５をトラックで回収してもよい。
【００３０】
また、前送ボックス２５には、宅配自転車や宅配バイクと連結するための連結部を設ける構成でもよい。当該構成によれば、宅配時に、宅配自転車や宅配バイクに連結部を介して前送ボックス２５を接続し、そのまま配達を行うことができ、前送ボックス２５から荷物を宅配自転車などの荷台に載せ換える手間を省くことができる。
【００３１】
また、宅配ステーション１は、図５に示すように、保管部２３が配される側の側面１４に前送ボックス２５を出し入れするための出入口１７が設けられ、保管部２３に出入口１７を介して側面１４の外側から前送ボックス２５が設置可能である構成でもよい。図５（ａ）は、出入口１７が閉まっている場合の宅配ステーション１の外観を示す。図５（ｂ）は、複数の前送ボックス２５が宅配ステーション１の保管部２３に保管されている様子を透過的に示している。
【００３２】
また、出入口１７は、前送ボックス２５を効率的に出し入れできる構成であればよく、例えば、下方から上方へ移動可能なシャッターで構成されていてもよいし、左右方向にスライドするスライドドアで構成されていてもよいし、折戸で構成されていてもよい。
【００３３】
当該構成によれば、トラックの運転手（配送業者）が出入口１７から前送ボックス２５を保管部２３に保管することができる。その後、配達員が宅配ステーション１内において、前送ボックス２５に入っている荷物を配達用と宅配ボックス２２に保管する用に仕分けを行うことができる。そして、配達員は、出入口１７から前送ボックス２５を運び出し、宅配自転車や宅配バイクに連結して、配達を行うことができる。また、前送ボックス２５の幅が扉２１の幅よりも大きく、扉２１から前送ボックス２５を出し入れすることが困難な場合においても、側面１４から効率的に幅広の前送ボックス２５を出し入れすることができる。
【００３４】
また、保管部２３には、出入口１７を介して前送ボックス２５が入れられた（搬入された）ときに、前送ボックス２５を取り外し可能な結合部が設けられている構成でもよい。さらに、前送ボックス２５を結合部に結合した場合には、出入口１７が外から所定の解錠操作を行わないと開かないように出入口１７にロックがかかる構成でもよい。
【００３５】
当該構成によれば、前送ボックス２５を出入り口５０から搬入して結合部に結合し、宅配ステーション１の内部において、前送ボックス２５に収納されている荷物の仕分け作業を行うことができる。
【００３６】
＜宅配ステーションの機能について＞
つぎに、宅配ステーション１の機能について説明する。宅配ステーション１は、図６に示すように、認証情報受付部３１と、荷物情報受付部３２と、取出情報受付部３３と、保管情報受付部３４と、送信部３５とを備える。
【００３７】
認証情報受付部３１は、宅配ステーション１の利用者を認証するための認証情報の入力を受け付ける。認証情報とは、予め利用者に付与されている情報であり、例えば、ＩＤとパスワードにより構成されている。認証情報受付部３１は、受け付けた認証情報を、送信部３５を介してサーバ装置２に送信する。
【００３８】
例えば、図７に示すように、宅配ステーション１の前面１５に操作用パネルＰが備えられているものとする。トラックで荷物を運んできた宅配業者や荷物の配達員は、操作用パネルＰに対して所定の操作（例えば、ＩＤとパスワードの入力操作や、所定のＩＣカードや端末装置を操作用パネルＰの所定の場所にタッチする操作など）を行うことにより、認証情報を入力する。
【００３９】
認証情報は、サーバ装置２に送信される。サーバ装置２において認証処理が行われ、認証が許可されると、前面１５の扉２１が解錠される。宅配業者は、扉２１から宅配ステーション１の内部に入ることができる。なお、認証処理は、サーバ装置２ではなく、操作用パネルＰで行われてもよい。
【００４０】
また、サーバ装置２では、宅配システム１００のセキュリティを強化するために、どの宅配業者の誰がいつ宅配ステーション１に入室したのかの情報を管理する構成でもよい。さらに、宅配ステーション１から退室するときにも認証処理を行うことにより、退室の情報も管理する構成でもよい。
【００４１】
また、利用者とは、荷物を宅配ステーション１まで運搬する一または複数の宅配業者と、保管部２３に保管されている荷物を荷受人に配達する配達員が該当する。認証情報受付部３１は、宅配業者および配達員を認証するための認証情報の入力を受け付ける。
【００４２】
ここで、配達員は、宅配ステーション１が設置されている場所の近くに住んでいる一般人（主婦や学生など）であり、宅配ステーション１を利用する複数の宅配業者（宅配業者Ａ、宅配業者Ｂ、宅配業者Ｃ・・・）の社員ではないケースが考えられる。当該ケースの場合、宅配業者は、配達員を雇用するなどして確保する必要がないため、配達員の人材不足の問題を解消することができる。
【００４３】
なお、配達員は、宅配業者に所属する者（正社員や契約社員など）が含まれていてもよい。例えば、早朝や深夜などにおいて、一般人による配達員が確保できない場合などにおいて、社員による配達を行うことができ、サービスの拡充を図ることができる。
【００４４】
荷物情報受付部３２は、保管部２３に荷物を保管する際に、保管する荷物の荷物情報を受け付ける。荷物情報とは、荷物の配送を依頼されたときに荷物に付与される固有の情報である。荷物情報受付部３２は、受け付けた荷物情報を、送信部３５を介してサーバ装置２に送信する。
【００４５】
保管部２３では、上述したように、宅配業者ごとに荷物を保管するための区画が用意されている。荷物情報受付部３２は、例えば、各区画に備え付けられている専用の端末装置に内蔵される構成でもよい。トラックで荷物を運んできた宅配業者は、自身が属する会社の区画に荷物を保管するときに、専用の端末装置を操作して、荷物情報を入力する。
【００４６】
取出情報受付部３３は、保管部２３に保管されている荷物を配達する際に、保管部２３から荷物を取り出したときに取出情報を受け付ける。例えば、取出情報には、配達員を識別するために付与されている固有のＩＤや、配達する日付などを用いてもよい。取出情報受付部３３は、受け付けた取出情報を、送信部３５を介してサーバ装置２に送信する。
【００４７】
また、取出情報受付部３３は、荷物情報受付部３２と同様に、例えば、各区画に備え付けられている専用の端末装置に内蔵される構成でもよい。配達員は、配達する荷物がある区画から荷物を取り出すときに、専用の端末装置を操作して、取出情報を入力する。
【００４８】
保管情報受付部３４は、宅配ボックス２２に当該荷物を保管した場合、当該荷物の保管情報を受け付ける。例えば、保管情報には、配達員を識別するために付与されている固有のＩＤや、保管する日付などを用いてもよい。保管情報受付部３４は、受け付けた保管情報を、送信部３５を介してサーバ装置２に送信する。
【００４９】
また、保管情報受付部３４は、荷物情報受付部３２と同様に、例えば、各区画に備え付けられている専用の端末装置に内蔵される構成でもよい。配達員は、荷物を宅配ボックス２２に保管するときに、専用の端末装置を操作して、保管情報を入力する。
【００５０】
＜サーバ装置の機能について＞
つぎに、サーバ装置２の機能について説明する。サーバ装置２は、図６に示すように、認証処理部４１と、情報登録部４２と、通知部４３とを備える。
【００５１】
認証処理部４１は、認証情報受付部３１で受け付けた認証情報に基づいて、認証処理を行う。宅配ステーション１の利用者（例えば、宅配業者や配達員など）は、宅配ステーション１を利用するためのユーザ登録が予め行われている。ユーザ登録された情報（例えば、固有のＩＤとパスワードなど）は、認証情報記憶部５１に記憶されている。認証処理部４１は、認証情報記憶部５１に記憶されている情報に基づいて、認証処理を行う。
【００５２】
認証処理部４１は、認証を許可すると、その旨を宅配ステーション１に通知する。当該通知により、宅配ステーション１の扉２１が解錠される。なお、認証処理は、サーバ装置２ではなく、宅配ステーション１の前面１５に操作用パネルＰで行われる構成でもよい。
【００５３】
情報登録部４２は、認証処理部４１で認証処理を行った利用者の情報に、荷物情報受付部３２で受け付けた荷物情報と、保管情報受付部３４で受け付けた保管情報を関連付けて登録する。
【００５４】
情報登録部４２は、図８に示すように、各情報を関連付ける。関連付けられた情報は、関連情報記憶部５２に記憶される。なお、取出情報は、荷物を配達するために保管部２３から取り出したときの情報であり、例えば、２０１７年４月１３日１２時１５分に保管部２３から荷物を取り出した場合には、「２０１７０４１３１２１５」である。また、保管情報は、宅配ボックス２２に荷物を保管したときの情報であり、例えば、２０１７年４月１３日１３時３０分に宅配ボックス２２に荷物を保管した場合には、「２０１７０４１３１３３０」である。
【００５５】
通知部４３は、保管情報受付部３４により保管情報を受け付けた場合、荷物の荷受人の端末装置に宅配ボックス２２に荷物を保管した旨を通知する。例えば、通知部４３では、予め登録されている荷受人の端末装置に宅配ボックス２２に荷物を保管した旨を通知する構成でもよい。また、インターネットを利用して商品を注文する場合には、注文シートに登録されている届け先の情報を利用して、宅配ボックス２２に荷物を保管した旨を通知することができる。また、宅配ボックス２２に荷物を保管した旨を記した用紙やノートを荷受人のポストに投函してもよい。
【００５６】
また、通知部４３は、荷受人の端末装置に宅配ボックス２２に荷物を保管した旨と、宅配ステーション１が設置されている場所の情報を通知する構成でもよい。当該構成によれば、宅配システム１００は、荷物が保管されている宅配ボックス２２の宅配ステーション１が設置されている場所を通知するので、荷受人が初めて宅配ステーション１を利用する場合や、荷受人の自宅周辺に複数の宅配ステーション１が存在する場合に好適に対応することができる。
【００５７】
サーバ装置２は、荷物の配達を受け付けたときの送り状から荷受人の連絡先などの情報（例えば、荷受人の電話番号やＥメールアドレスなど）を抽出し、荷物情報に関連付けて、荷受人情報記憶部５３に記憶する。
【００５８】
例えば、通知部４３は、関連情報記憶部５２において、保管情報の項目に情報が入力された場合、入力された保管情報に対応する荷物情報を抽出する。通知部４３は、荷受人情報記憶部５３を参照して、抽出した荷物情報に対応する荷受人の連絡先情報を読み出し、連絡先を宛先にして、宅配ボックス２２に荷物を保管した旨を通知する。また、通知部４３は、宅配ボックス２２に荷物を保管した旨とともに、宅配ステーション１の所在地の情報も通知してもよい。
【００５９】
このようにして、宅配システム１００は、宅配ボックス２２と保管部２３を備える宅配ステーション１と、サーバ装置２とを備え、保管部２３に荷物を保管し、また、不在により荷物の配達が行えなかった場合、宅配ボックス２２に荷物を保管するので、消費者の都合に合わせて自由に荷物の受け取りを行うことができ、宅配業者側の営業所の設置コストや人的コストを低減することができる。
【００６０】
なお、宅配システム１００は、荷物を配達したが不在の場合、別の宅配ステーション１の宅配ボックス２２に荷物を保管する構成でもよい。具体的には、通知部４３は、荷物が保管されていた宅配ステーション１とは異なる宅配ステーション１の宅配ボックスに荷物を保管した旨を荷受人の端末装置に通知する。
【００６１】
これは、元の宅配ステーション１の宅配ボックス２２が満杯の場合や、荷受人から他の宅配ステーション１（例えば、荷受人の勤め先に近い宅配ステーション１など）の宅配ボックス２２に保管して欲しい旨の要求があった場合などに便利な構成になる。
【００６２】
＜配達員テーブルについて＞
サーバ装置２は、図６に示すように、宅配ステーション１の保管部２３に保管されている荷物を荷受人に配達する配達員を管理する配達員テーブルを記憶する配達員テーブル記憶部５４を備える。
【００６３】
配達員テーブルは、配達員が登録されるたびに更新され、例えば、図９に示すように、固有のＩＤに配達員の氏名、連絡先、属性（会社員、学生、男性、女性など）、位置情報、稼働時間情報などが関連付けられている。連絡先には、電話番号やＥメールアドレスなどが該当する。また、配達員テーブルには、詳細は後述する配達員の実績情報が関連付けられる。
【００６４】
通知部４３は、保管部２３に荷物が保管された場合、配達員テーブル記憶部５４に記憶されている配達員テーブルを参照し、配達員の連絡先に対して配達依頼情報を通知する。例えば、通知部４３は、保管部２３を備える宅配ステーション１の場所の近隣に住んでいる配達員を配達員テーブルの位置情報から候補となる配達員を抽出する。さらに、通知部４３は、抽出した配達員の中から配達員テーブルの稼働時間情報に基づいて、対応可能な配達員を絞り込み、絞り込んだ配達員に配達依頼情報を通知する。
【００６５】
このようにして、宅配システム１００では、保管部２３に荷物が保管されたことを契機に、配達員を宅配ステーション１に向かわせて、保管部２３に保管されている荷物を配達させるので、宅配ステーション１に配達員を常駐させる必要がなく、人的コストを低減することができる。
【００６６】
＜配達依頼情報について＞
通知部４３は、保管部２３に保管されている荷物について、荷受人に配達するのか、保管部２３と同一の宅配ステーション１の宅配ボックス２２に保管するのか、他の宅配ステーション１の宅配ボックス２２に保管するのかを示す情報を含んだ配達依頼情報を通知する。
【００６７】
つまり、配達員は、宅配ステーション１の保管部２３に保管されている荷物について、配達依頼情報に基づいて、荷受人に配達する荷物（以下、「荷物Ａ」という。）と、保管部２３と同一の宅配ステーション１の宅配ボックス２２に保管する荷物（以下、「荷物Ｂ」という。）と、他の宅配ステーション１の宅配ボックス２２に保管する荷物（以下、「荷物Ｃ」という。）とを仕分ける作業を行う。そして、配達員は、荷物Ｂを空いている宅配ボックス２２に保管し、荷物Ａと荷物Ｃを配達用の自転車などの荷台に積んで、荷物Ａを荷受人に届け、荷物Ｃを指定されている他の宅配ステーション１の宅配ボックス２２に保管する。
【００６８】
例えば、ネットを利用して商品を注文する場合などにおいて、利用者は、注文フォームの配達先情報に宅配ボックス２２に保管することを選択することができる。サーバ装置２は、注文フォームの配達先情報に基づいて、荷物を宅配ボックス２２に保管する旨の配達依頼情報を生成する構成でもよい。
【００６９】
よって、宅配システム１００は、配達依頼情報に基づいて効率的に荷物を仕分け、仕分けた荷物に対して必要な作業を行うことができる。
【００７０】
また、通知部４３は、報酬額を含んだ配達依頼情報を通知する構成でもよい。例えば、通知部４３は、複数の配達員の端末装置に対して、報酬額（例えば、「今回の配達報酬は２０００円です」など）を含んだ配達依頼情報を行う。なお、通知部４３は、配達の時間帯や、配達距離や、天気や、荷物の量などに応じて報酬額を決定する構成でもよい。
【００７１】
また、通知部４３は、報酬額を含んだ配達依頼情報を通知し、一定時間経過しても配達員から応答がない場合、報酬額を増額して配達依頼情報を行う構成でもよい。
【００７２】
例えば、宅配システム１００は、悪天候の場合や、早期の配達を望む場合などには、報酬額を増額することにより、配達員を確保することができる。
【００７３】
＜配達員の決定手順について＞
宅配システム１００は、図６に示すように、荷物を配達する配達員を所定の条件に基づいて決定する配達員決定部４６を備える。
【００７４】
配達員決定部４６により決定された配達員は、通知された宅配ステーション１に行き、保管部２３に保管されている荷物の配達を行う。
【００７５】
例えば、配達員決定部４６は、通知部４３による通知に対して、最も安価な配達料を入札してきたものを配達員に決定する構成でもよい。
【００７６】
当該構成によれば、宅配システム１００は、競争方式を導入し、最も有利な条件を示す者（最も安価な配達料を入札してきた者）を配達員に決定するので、リーズナブルな配達料を実現することができる。
【００７７】
また、配達員決定部４６は、通知部４３による通知に対して、一番早く応答してきた者を配達員に決定する構成でもよい。
【００７８】
当該構成によれば、宅配システム１００では、早い者順で配達員が決まるので、通知部４３による通知に対して配達員が素早く反応することが期待できる。
【００７９】
また、配達員テーブルには、図９に示すように、配達員による配達の実績が関連付けられている構成でもよい。実績とは、例えば、過去に配達したときに荷受人により評価された内容（クレーム数や遅配数など）である。
【００８０】
配達員決定部４６は、通知部４３による通知に対して複数の者が応答してきた場合、配達員テーブル記憶部５４に記憶されている配達員テーブルを参照し、高い実績を有している者を配達員に決定する構成でもよい。例えば、配達員決定部４６は、配達員テーブルを参照し、クレーム数や遅配数などが少ない配達員を優先的に決定してもよい。
【００８１】
通知部４３は、配達員決定部４６により決定された配達員の端末装置に決定された旨を通知する。
【００８２】
このようにして、宅配システム１００では、高い実績の配達員ほど選ばれやすくなる。よって、配達員は、自身の実績を高めるように努力することが期待できる。
【００８３】
＜宅配ボックスと保管部の比率について＞
上述したように、宅配ボックス２２は、複数のユニットから構成されており、保管部２３は、複数の区画により構成されている。サーバ装置２は、図６に示すように、収集部４４と、比率決定部４５とを備える。収集部４４は、宅配ステーション１の宅配ボックス２２と保管部２３の利用状況を示す利用状況情報を収集する。比率決定部４５は、収集部４４により収集された利用状況情報に基づいて、宅配ボックス２２と保管部２３との比率を決定する。
【００８４】
比率決定部４５により宅配ステーション１内における宅配ボックス２２と保管部２３との比率に変更が生じた場合には、変更された比率に基づいて、宅配ボックス２２を構成するユニットの数を増加または減少し、保管部２３を構成する区画の大きさを拡張または縮小する。
【００８５】
例えば、収集部４４は、図１０に示すように、宅配ステーション１（ＩＤ：０１２３１２３５）において、宅配ボックス２２（例えば、２０個のユニットで構成されている）の稼働率と、保管部２３の利用率（例えば、体積当たりの利用率）を利用状況情報として収集する。なお、図１０では、一日ごとに利用状況情報を収集している例を示しているが、収集タイミングは、一日ごとに限られず、一時間ごとや、一週間ごとなどでもよい。また、収集部４４は、すべての宅配ステーション１の利用状況情報を収集する。
【００８６】
また、比率決定部４５は、一定期間（例えば、一カ月など）の利用状況の過程を勘案して、宅配ステーション１ごとに妥当な比率を決定する。
【００８７】
比率決定部４５により決定された比率は、通知部４３を介して、配達ステーション１の比率を変更する業者の端末装置に通知される。
【００８８】
業者は、例えば、図１１（ａ）に示すように、宅配ボックス２２と保管部２３との比率（宅配ボックス：保管部＝５：５）を妥当な比率（宅配ボックス：保管部＝３：７）に変更する作業を行う。
【００８９】
よって、宅配システム１００は、宅配ステーション１の宅配ボックス２２のユニットの構成を自在に変更することができ、かつ、保管部２３の区画の大きさを自在に変更することができるので、実際の利用状況に応じて、宅配ボックス２２と保管部２３分の比率をフレキシブルに変更することができ、効率的な運用を図ることができる。
【００９０】
また、宅配ステーション１の利用頻度が高い場合には、同じコインパーキングの他の駐車スペースまたは近隣のコインパーキングに他の宅配ステーション１を設置してもよい。また、全く利用されていない場合には、そのコインパーキングから宅配ステーション１を撤去してもよい。
【００９１】
このようにして、宅配ステーション１は、比率決定部４５により決定した比率に基づいて、宅配ボックス２２を構成するユニットの数を増加または減少し、保管部２３を構成する区画の大きさを拡張または縮小することができるので、一定期間の賃貸契約を結んで営業所を設置した場合に比して、安価に営業所を運営することができる。
【００９２】
＜宅配方法について＞
ここで、宅配ステーション１と、宅配ステーション１と通信を行うサーバ装置２と、により構成される宅配システム１００を利用する宅配方法について、図１２に示すフローチャートを用いて説明する。なお、以下では、宅配業者が宅配トラックで荷物を宅配ステーション１まで運んできた場合を想定して説明する。
【００９３】
ステップＳ１において、宅配ステーション１の認証情報受付部３１は、宅配業者を認証するための認証情報の入力を受け付ける。例えば、利用者は、操作用パネルＰに対して所定の操作（例えば、ＩＤとパスワードの入力操作や、所定のＩＣカードや端末装置を操作用パネルＰの所定の場所にタッチする操作など）を行うことにより、認証情報を入力する。送信部３５は、認証情報をサーバ装置２に送信する。
【００９４】
ステップＳ２において、サーバ装置２の認証処理部４１は、認証情報に基づいて、認証処理を行う。なお、認証処理は、サーバ装置２ではなく、操作用パネルＰで行われる構成でもよい。
【００９５】
ステップＳ３において、宅配ステーション１の荷物情報受付部３２は、保管部２３に荷物を保管する際に、保管する荷物の荷物情報を受け付ける。具体的には、宅配業者は、保管部２３の所定の区画に荷物を保管し、荷物情報を入力する。送信部３５は、荷物情報をサーバ装置２に送信する。
【００９６】
ステップＳ４において、サーバ装置２の情報登録部４２は、認証処理部４１で認証処理を行った宅配業者の情報に、荷物情報を関連付けて登録する。
【００９７】
ステップＳ５において、サーバ装置２の通知部４３は、保管部２３に荷物が保管された場合（つまり、荷物情報を受信した場合）、配達員テーブル記憶部５４に記憶されている配達員テーブルを参照し、配達員の連絡先に対して配達依頼情報を通知する。配達員は、配達依頼情報を受諾するかどうかを判断し、受託する場合には、その旨をサーバ装置２に応答する。
【００９８】
ステップＳ６において、宅配ステーション１の取出情報受付部３３は、保管部２３に保管されている荷物が配達員によって配達されるときに、当該荷物の取出情報を受け付ける。具体的には、配達員は、保管部２３から荷物を取り出すときに、取出情報を入力する。送信部３５は、取出情報をサーバ装置２に送信する。
【００９９】
ステップＳ７において、サーバ装置２の情報登録部４２は、認証処理部４１で認証処理を行った宅配業者の情報に、取出情報を関連付けて登録する。
【０１００】
ステップＳ８において、宅配ステーション１の保管情報受付部３４は、宅配ボックス２２に当該荷物を保管した場合、当該荷物の保管情報を受け付ける。荷物の配達が完了した場合には、配達員は、サーバ装置２に完了通知を行う。また、荷受人が不在で、配達が完了しなかった場合には、配達員は、宅配ステーション１に荷物を持って帰り、宅配ボックス２２に保管し、保管情報を入力する。送信部３５は、保管情報をサーバ装置２に送信する。
【０１０１】
ステップＳ９において、サーバ装置２の情報登録部４２は、認証処理部４１で認証処理を行った宅配業者の情報に、保管情報を関連付けて登録する。
【０１０２】
ステップＳ１０において、サーバ装置２の通知部４３は、保管情報を受け付けた場合、荷受人の端末装置に宅配ボックス２２に荷物を保管した旨を通知する。
【０１０３】
また、宅配ステーション１は、荷受人が宅配ボックス２２から荷物を取り出した場合には、その旨をサーバ装置２に通知する。なお、宅配ステーション１は、所定期間以内に荷受人が荷物を取りに来ない場合には、通知部４３により、荷受人に再通知を行う構成でもよい。
【０１０４】
このようにして、宅配システム１００は、宅配ボックス２２と保管部２３を備える宅配ステーション１と、サーバ装置２とを備え、保管部２３に荷物を保管し、また、不在によりの荷物の配達が行えなかった場合、宅配ボックス２２に荷物を保管するので、消費者の都合に合わせて自由に荷物の受け取りを行うことができ、宅配業者側の営業所の設置コストや人的コストを低減することができる。
【符号の説明】
【０１０５】
１  宅配ステーション、２  サーバ装置、１１  天面、１２  底面、１３，１４  側面、１５  前面、１６  後面、１７  出入口、２１  扉、２２  宅配ボックス、２３  保管部、２５  前送ボックス、２６  収納庫、２７  ハンドル、２８  タイヤ、３１  認証情報受付部、３２  荷物情報受付部、３３  取出情報受付部、３４  保管情報受付部、３５  送信部、４１  認証処理部、４２  情報登録部、４３  通知部、４４  収集部、４５  比率決定部、４６  配達員決定部、５１  認証情報記憶部、５２  関連情報記憶部、５３  荷受人情報記憶部、５４  配達員テーブル記憶部、１００  宅配システム、Ｎ  ネットワーク、Ｐ  操作用パネル
【図１】
2018190210.tif 000003
【図２】
2018190210.tif 000004
【図３】
2018190210.tif 000005
【図４】
2018190210.tif 000006
【図５】
2018190210.tif 000007
【図６】
2018190210.tif 000008
【図７】
2018190210.tif 000009
【図８】
2018190210.tif 000010
【図９】
2018190210.tif 000011
【図１０】
2018190210.tif 000012
【図１１】
2018190210.tif 000013
【図１２】
2018190210.tif 000014